(57)【要約】【課題】  従来、ダイオキシン類の分解処理については接触分解によるため、ダイオキシン類が付着したものには効果的であるが、ダイオキシン類を吸着したもの、例えばダイオキシン類を吸着する活性炭等の場合には、吸着されたダイオキシン類と分解剤との接触が容易でなく不完全な分解しかできないという問題があった。【解決手段】  加熱温度をダイオキシン類の蒸気圧温度以上に上げて、毒性のあるダイオキシン異性体を気化させ、発生するダイオキシン類の蒸気を直ちにアルカリ等の分解剤と接触させて分解反応を起こさせるようにしたものである。【選択図】図１
2005034337.tif 000002
【特許請求の範囲】
【請求項１】
加熱温度をダイオキシン類の蒸気圧温度以上に上げて、毒性のあるダイオキシン異性体を気化させ、発生するダイオキシン類の蒸気を直ちにアルカリ等の分解剤と接触させて分解反応を起こさせることを特徴とするダイオキシン類の分解方法
【請求項２】
ダイオキシン類を含む被対象物を、前処理でアルカリでコーティングしておき、次いで分解炉でダイオキシン類を気化させコーティングしたアルカリと反応させて分解反応を起こさせることを特徴とする請求項１記載のダイオキシン類の分解方法
【発明の詳細な説明】
【技術分野】
【０００１】
本発明はダイオキシン類の分解方法、特に焼却工場から排出されるばいじん（飛灰）、焼却灰、洗煙水汚泥、或いは焼却炉解体に伴う廃材や土壌等でダイオキシン類を規制値（３ｎｇ−ＴＥＱ／ｇ）以上含む被処理物のダイオキシン類の分解方法に関するものである。
【背景技術】
【０００２】
従来、ダイオキシン類の分解処理については、例えば特許文献１（特許公開２００１−２５７２３）に示されるように、ダイオキシン類を含有する被処理物とアルコール化合物とを１００〜４００°Ｃで接触させる方法、或いは特許文献２（特許公開２００１−１４５８６２）に示されるように被処理焼却灰に燐系化合物、アルミニウム化合物、カルシウム化合物より選ばれた１種と、尿素とを添加し、１６０〜６００°Ｃで加熱処理する方法等が行われている。
【特許文献１】特許公開２００１−２５７２３号公報
【特許文献２】特許公開２００１−１４５８６２号公報
【発明の開示】
【発明が解決しようとする課題】
【０００３】
しかしながら、これらの方法は何れも接触分解によるため、ダイオキシン類が付着したものには効果的であるが、ダイオキシン類を吸着したもの、例えばダイオキシン類を吸着する活性炭等の場合には、吸着されたダイオキシン類と分解剤との接触が容易でなく不完全な分解しかできないという問題があった。
【０００４】
また、ダイオキシン類の除去には高温加熱が必要である一方で、熱伝導性に乏しい飛灰中のダイオキシン類に対する対応も問題であり、飛灰を５００°Ｃ近くまで加熱すると飛灰中の塩の影響によりダイオキシン類が固着して分解発散することができないという問題もある。
【課題を解決するための手段】
【０００５】
本発明は上記の課題に対処するもので、加熱温度をダイオキシン類の蒸気圧温度以上に上げて、毒性のあるダイオキシン異性体を気化させ、発生するダイオキシン類の蒸気を直ちにアルカリ等の分解剤と接触させて分解反応を起こさせるようにしたものである。
【０００６】
また、蒸気化したダイオキシン類を直ちにアルカリ等の分解剤と接触させる手段としてダイオキシン類を含む被対象物を、前処理でアルカリでコーティングしておき、次いで分解炉でダイオキシン類を気化させコーティングしたアルカリと反応させて分解反応を起こさせるように構成した。
【実施例１】
【０００７】
以下、本発明の実施例を図面にしたがって説明する。
【０００８】
図１はダイオキシン類分解処理装置の１例を示すもので、１は被処理物を格納しアルカリ等の分解剤と攪拌混合する攪拌容器であり、集塵機で回収される飛灰やダイオキシンを吸着した汚泥、活性炭等が収容され、アルカリ等の分解剤が加えられて容器内で攪拌混合される。
【０００９】
分解剤と攪拌混合された被処理物は管状の高温加熱炉ロータリーキルン炉２に導入され、４５０°Ｃ以上好ましくは５５０°Ｃ以上に高温加熱されながら傾斜角に従って回転進行するが、この間に被処理物中の高温気化したダイオキシン類の塩素基が分解剤のアルカリと反応して毒性のあるダイオキシン類が分解され、被処理物と分離される。
【００１０】
ロータリーキルン炉２の高温加熱は、内部加熱の場合には都市ガスや灯油によるバーナーで吹き込み口３より燃焼を維持する範囲でエアーを吹き込むが、外部加熱の場合は無酸素状態を維持するため窒素が吹き込み添加される。
【００１１】
ロータリーキルン炉２内は原則的に無酸素状態であるので、高温気化したダイオキシン類は毒性のない低分子化合物として発散され、固形物と分離されて排ガスとして冷却塔４に送られ急冷されてダイオキシン類の再生への反応が防止されると共に冷却塔４の排出口５から排ガスとして排出され、固形物は処理物としてロータリーキルン炉２の排出口21より排出される。
【００１２】
因みにダイオキシン系ダイオキシン（ＰＸＤＤ）で、ＴＥＱ１の「２３７８−Ｃｌ4 ＤＤ」の沸点は４４７°Ｃ、ＴＥＱ０．０００１の「Ｃｌ8 ＤＤ」の沸点は５１０°Ｃ、フラン系ダイオキシン（ＰＸＤＦ）で、ＴＥＱ０．１の「２３７８−Ｃｌ4 ＤＦ」の沸点は４３８°Ｃ、ＴＥＱ０．０００１の「Ｃｌ8 ＤＤ」の沸点は５３７°Ｃである（第３２回日本環境化学会予稿集）。
【００１３】
冷却塔４では循環水により送られた排ガスが急冷されてダイオキシン類の再生への反応が防止されると共に排ガスとして排出されるが、排ガス中にダイオキシン類が残留している場合には、更に、除外塔や吸着設備によってダイオキシン類が完全に除去されるようにする。
【００１４】
本発明による効果を確認するため、出願人において行った実験結果は図２の通りである。テスト１はアルカリ剤としてモルタルを用いた場合で、ダイオキシン類を吸着した試料２００ｇにモルタル２００ｇを攪拌混合し、電気炉で６５０°Ｃまで加熱し有毒異性体の加熱残を測定したところ、加熱残０の結果を得たので、更に、５５０°Ｃまで加熱を下げたが加熱残０の結果を得た。
【００１５】
テスト２はアルカリ剤としてセメントを用いた場合で、(３）のケースはダイオキ
シン類を吸着した試料５０ｇにセメント５０ｇを攪拌混合し、電気炉で６００°Ｃまで加熱し有毒異性体の加熱残を測定し、更に、排ガスを補集してダイオキシン類残留値を測定し残留値０の結果を得た。
【００１６】
（４）のケースはダイオキシン類を吸着した試料５０ｇにセメント２５ｇを攪拌混
合した場合、（５）のケースはダイオキシン類を吸着した試料５０ｇにセメント１２
ｇを攪拌混合した場合であり、何れも有毒異性体の加熱残０、補集排ガス中のダイオキシン類残留値０の結果を得ている。
【００１７】
本発明は以上のように構成したので、ダイオキシン類を含む被処理物が有毒異性体を吸着して物質内に入り込んだ形態の場合でも対応できるダイオキシン類の分解方法を提供することができたものである。
【図面の簡単な説明】
【００１８】
【図１】本発明の実施例によるダイオキシン類分解装置の一例を示す配列分解系統図
【図２】同じく、本発明によるダイオキシン類分解実験の有毒異性体の加熱残と補集排ガス中のダイオキシン類残留値測定一覧表
【符号の説明】
【００１９】
１          攪拌容器
２          ロータリーキルン炉
21          ロータリーキルン炉の処理物排出口
３          バーナー吹き込み口
４          冷却塔                                                      ５          排ガス排出口
【図１】
2005034337.tif 000003
【図２】
2005034337.tif 000004